(57)【特許請求の範囲】
【請求項１】
電気機器収納用箱を構成する筐体内外に電源側端子部と負荷側端子部を形成するよう、該筐体の端子台取付面に貫通して取り付けて使用され、外部からの配線と内部からの配線の双方を接続可能とした端子台であって、
電源側端子部と負荷側端子部と、両端子部間に渡って形成された略コ字状の端子板を有し、該略コ字状の端子板は、両端部の腕部と、該腕部間を連結する連結部から構成され、
配線を接続するために使用される端子ねじが挿通可能な端子孔を、双方の腕部と、何れか一方の腕部に隣接した該連結部の端部の３か所に形成したことを特徴とする端子台。
【請求項２】
該連結部をクランク状に形成し、双方の腕部を上下にずらして配置し、下側に配置された腕部と、該下側に配置された腕部に隣接した該連結部の端部に該端子孔を形成するとともに、該下側に配置された腕部の先端部に臨む位置に絶縁距離確保用の隔壁を形成したことを特徴とする請求項１記載の端子台。
【請求項３】
下側に配置された腕部の先端部と該隔壁とを当接させたことを特徴とする請求項２記載の端子台。
【請求項４】
電源側端子部を、外観が上下対称となるように形成したことを特徴とする請求項１〜３の何れかに記載の端子台。
【請求項５】
端子台が、一極からなる単位端子を複数並列してなり、隣接する単位端子間を連結する固定部を、筐体内部に配置したことを特徴とする請求項１〜４の何れかに記載の端子台。
【発明の詳細な説明】
【技術分野】
【０００１】
本発明は、電気機器収納用箱を構成する筺体の壁面に取り付けて使用され、外部からの配線と内部からの配線の双方を接続可能とした端子台に関するものである。
【背景技術】
【０００２】
この種の両側接続される端子台は、筐体の外側に配置される電源側端子部と、筐体の内側に配置される負荷側端子部とから構成され、筐体の外側と内側の２方向から電線を挿入可能な端子台である。電源側端子部には、外部電源や、筐体外に配置されている外部機器からの配線が接続され、負荷側端子部には、筐体内部に収納されている電気機器からの配線が接続される。
【０００３】
従来の端子台では、特許文献１記載のように、一方の端子台の端子ねじは、筐体の端子台取付面に対して垂直方向からネジ止めし、他方の端子台の端子ねじは、筐体の端子台取付面に対して水平方向からネジ止めする構造が一般的である。また、特許文献２記載のように、両側の端子台の端子ねじを筐体の端子台取付面に対して垂直方向からネジ止めする構造が一般的である。
【０００４】
ここで、端子台を取り付ける筐体が、ＩＥＣ規格の１Ｕサイズのユニット（１９インチラックの1区画に収まるように、厚さ１．７５インチ(約４４．５ｍｍ)程のサイズに設計されたユニット）等、重ねて配置される薄型の筐体である場合についての説明を図１１に示す。図１１（ａ）は特許文献１に記載された端子台２００を示したもので筐体内の端子ねじ７００ａが端子台取付面１００ｃに対して垂直に形成し、図１１（ｂ）は特許文献２に記載された端子台３００を示したもので筐体内の端子ねじ７００ａが端子台取付面１００ｃに対して水平に形成してある。
【０００５】
図１１（ｂ）の端子台３００の構造では筐体内の端子ねじ７００ａから電線１０００を引き出す際に折り曲げる必要があり、電線１０００に負荷がかかってしまう問題や、端子台３００を端子台取付面１００ｃに取付けた状態で工具９００を端子台取付面１００ｃより垂直方向から入れる必要があるためねじ止め作業が行い難い問題があった。図１１（ａ）の端子台２００の構造では、筐体内の端子ねじ７００ａへの電線１０００の取り付けは薄型の筐体１００の天井板１００ａを取り外すことによって容易に取り付けることが可能であり、電線１０００は天井板１００ａと水平方向に引き出す構造であるので電線１０００の折曲げの負荷がないものである。なお、図１１（ｂ）に示す端子台３００を端子台取付面１００ｃから取り外した状態で電線１０００の接続が可能であるが、端子台３００を端子台取付面１００ｃより引き出すため、電線１０００を長くする必要があり、その後、端子台３００を端子台取付面１００ｃに取り付けると電線１０００の収納場所が必要となったり、端子台取付面１００ｃへの取付が電線１０００により困難になるなど問題があるので、薄型の筐体に端子台を取り付けた状態で電線を接続することが望ましい。
【０００６】
また、１Ｕサイズ以上の筐体８００で形成し、高さ方向に複数の端子台を並べて取り付けた場合についての説明を図１２に示す。図１２（ａ）は特許文献１に記載された端子台２００を示したもので、図１２（ｂ）は特許文献２に記載された端子台３００を示したものである。図１２（ｂ）の端子台３００の構造では、複数の端子台３００を並べても端子台取付面８００ｃに対して垂直方向から工具９００を挿入し端子ねじ７００にねじ止めを行うことが可能である。しかし、特許文献１の構造では、図１２（ａ）に示すように複数の端子台２００の下方に形成した端子台２００にはねじ止めを行うことが出来ない。上記に示したように、状況によって端子台の形状を変更する必要があり、端子台の製品数が多くなってしまうなどの問題点があった。
【先行技術文献】
【特許文献】
【０００７】
【特許文献１】実開昭６４−３８７７６
【特許文献２】実開昭６４−７７７３
【発明の概要】
【発明が解決しようとする課題】
【０００８】
本発明の目的は前記の問題を解決し、例えば、端子台を薄型の筐体に取り付ける場合でも、筐体の高さ方向に複数の端子台を並べて配置させる場合等、あらゆる取り付け箇所に柔軟に対応可能な端子台を提供することである。
【課題を解決するための手段】
【０００９】
上記課題を解決するためになされた本発明の端子台は、電気機器収納用箱を構成する筐体内外に電源側端子部と負荷側端子部を形成するよう、該筐体の端子台取付面に貫通して取り付けて使用され、外部からの配線と内部からの配線の双方を接続可能とした端子台であって、電源側端子部と負荷側端子部と、両端子部間に渡って形成された略コ字状の端子板を有し、該略コ字状の端子板は、両端部の腕部と、該腕部間を連結する連結部から構成され、配線を接続するために使用される端子ねじが挿通可能な端子孔を、双方の腕部と、何れか一方の腕部に隣接した該連結部の端部の３か所に形成したことを特徴とするものである。
【００１０】
請求項２記載の発明は、請求項１記載の端子台において、該連結部をクランク状に形成し、双方の腕部を上下にずらして配置し、下側に配置された腕部と、該下側に配置された腕部に隣接した該連結部の端部に該端子孔を形成するとともに、該下側に配置された腕部の先端部に臨む位置に、絶縁距離確保用の隔壁を形成したことを特徴とするものである。
【００１１】
請求項３記載の発明は、請求項２記載の端子台において、下側に配置された腕部の先端部と該隔壁とを当接させたことを特徴とするものである。
【００１２】
請求項４記載の発明は、請求項１〜３の何れかに記載の端子台において、電源側端子部を、外観が上下対称となるように形成したことを特徴とするものである。
【００１３】
請求項５記載の発明は、請求項１〜４の何れかに記載の端子台において、一極からなる単位端子を複数並列してなり、隣接する単位端子間を連結する固定部を、筐体内部に配置したことを特徴とするものである。
【発明の効果】
【００１４】
本発明に係る端子台では、電源側端子部と負荷側端子部間に渡って略コ字状の端子板を形成し、該略コ字状の端子板の両端部に形成された腕部と、該腕部間を連結する連結部のうち、双方の腕部と、何れか一方の腕部に隣接した該連結部の端部の３か所に端子孔を形成する構成によって、一方の端子部において、配線方向を水平あるいは垂直方向の何れも選択自在とすることにより、あらゆる取り付け箇所に柔軟に対応可能としている。具体的には、例えば、端子台を取り付ける筐体が、重ねて配置される薄型の筐体である場合、電源側端子部の端子ねじは筐体の端子台の取付面に対して水平方向からネジ止めすることが好ましく、この場合、当該構造の端子台においては薄型の筐体の天井板を開放することにより端子台への電線の取り付けが容易で、電線には負荷がかからずに端子台に形成することができる。また、端子台をユニットの高さ方向に並べて配置する構造であっても、端子台の取付面に対して垂直方向から工具を挿入し電線を取り付けることが可能な構造となるものであり、あらゆる取り付け箇所に柔軟に対応可能としている。
【００１５】
請求項２記載の発明によれば、該連結部をクランク状に折り曲げ形成し、双方の腕部を上下にずらして配置し、下側に配置された腕部と、該下側に配置された腕部に隣接した該連結部の端部に該端子孔を形成することにより、連結部に形成された端子孔に端子ねじをネジ止めする場合であっても、該端子ねじの頭部位置を、上側に配置された腕部の上部程度の高さに抑えることができる。一方、下側に配置された腕部に形成された端子孔に端子ねじをネジ止めする場合には、該端子ねじの頭部位置が、該腕部の先端部に対峙する筺体壁面と近接するため、絶縁距離が確保できない恐れがあるが、請求項２記載の発明では、下側に配置された腕部の先端部と該先端部に臨む位置に、絶縁距離確保用の隔壁を形成することにより、当該絶縁距離を確実に確保可能としている。
【００１６】
請求項３記載の発明によれば、下側に配置された腕部の先端部と該隔壁とを当接させたことにより、連結部の端部に形成された端子孔に端子ねじをネジ止めする際に、隔壁により負荷を受け止めて、端子板の変形を防止することができる。
【００１７】
電源側端子部と負荷側端子部の双方で、腕部に形成された端子孔を使用する場合、電線の引き出し方向によっては、端子板を回動させて使用することも可能であるが、請求項４記載の発明によれば、電源側端子部を、外観が上下対称となるように形成することにより、端子板を回動させて使用する場合であっても、外観が変わらず、景観にも優れた製品とすることができる。
【００１８】
請求項５記載の発明によれば、隣接する単位端子間を連結する固定部を筐体内部に配置することにより、端子台のうち、筐体の外側に突出する部位を少なくでき、景観にも優れた製品とすることができる。
【図面の簡単な説明】
【００１９】
【図１】本発明の端子台を取り付けた電気機器収納用箱の外観図である。
【図２】電源側端子部側からみた端子台の全体斜視図である。
【図３】図２を負荷側端子部側からみた図である。
【図４】図２および図３の断面説明図である。
【図５】図４において負荷側端子部の他方の端子孔を使用した図である。
【図６】電源側端子部側の正面図である。
【図７】本実施形態の端子台の分解説明図である。
【図８】他の実施形態の説明図である。
【図９】他の実施形態における説明図である。
【図１０】他の実施形態における説明図である。
【図１１】従来の端子台の取付構造を示した説明図である。
【図１２】従来の端子台の他の取付構造を示した説明図である。
【発明を実施するための形態】
【００２０】
以下に本発明の好ましい実施形態を示す。本発明の端子台１は、図１に示すように、電気機器収納用箱を構成する筐体２の端子台取付面２ａに取り付けて使用され、外部からの配線と内部からの配線の双方を接続可能としたものであり、図２、図３に示すように、筐体２の外側に配置される電源側端子部３と、筐体２の内側に配置される負荷側端子部４とから構成されている。電源側端子部３の左右両端部には、ブロック状の取付部５を備えている。以下、本実施形態においては、負荷側端子部４を筐体２の内側に形成し、筐体２内部に負荷名称板１５を配置可能な構造としているが、負荷側端子部４を筐体２の外側に突出するように取り付けて形成することも可能である。
【００２１】
電源側端子部３と負荷側端子部４との間には、図４、図５に示すように、略コ字状の端子板１７が渡されている。略コ字状の端子板１７は、両端部に形成された腕部６と、腕部６間を連結する連結部７から構成され、双方の腕部６と、連結部７の負荷側端子部４の腕部６に隣接した連結部７の端部の３か所に、端子ねじ８が挿通される端子孔９が形成されている。図４は、負荷側端子部４の腕部６に隣接した連結部７の端部に形成した端子孔９に端子ねじ８を挿通した状態図、図５は、負荷側端子部４の腕部６に形成した端子孔９に端子ねじ８を挿通した状態図を示している。図４と図５の、各々の場合において、負荷名称板１５の配置位置を変更可能なように、名称板取付け部１６が、各端子孔９に隣接する位置に形成されている。
【００２２】
このように、負荷側端子部４における配線方向を水平あるいは垂直方向の何れも選択自在とすることにより、あらゆる取り付け箇所に柔軟に対応することができる。なお、負荷側端子部４に形成された２か所の端子孔９は、一方を使用している場合には使用側の端子孔９からねじ止めされた端子ねじ８により他方の端子孔９に端子ねじ８を使用できないように近接させて形成されている。
【００２３】
本実施形態では、図４、図５に示すように、連結部７はクランク状に折り曲げ形成し、負荷側端子部４の腕部６を、電源側端子部３の腕部６より下方にずらして配置している。当該構造によれば、図４に示すように、負荷側端子部４の腕部６に隣接した連結部７の端部に形成した端子孔９に端子ねじ８をネジ止めする場合であっても、端子ねじ８の頭部位置を、電源側端子部３の腕部６の上部程度の高さに抑えることができるので、端子ねじ８の頭部と筐体２との距離を長くすることができ、絶縁距離を確実にとることが出来る。
【００２４】
一方、負荷側端子部４の腕部６に形成された端子孔９に端子ねじ８をネジ止めする場合には、端子ねじ８の頭部や腕部６の先端部が筺体２に近接するため、絶縁距離が確保できない恐れがあるが、本実施形態では、負荷側端子部４の下側に配置された腕部６の先端部に臨む位置に絶縁距離確保用の隔壁１０を形成している。負荷側端子部４の下側に配置された腕部６の先端部と該先端部に対峙する筺体２との間に、絶縁距離確保用の隔壁１０を形成することにより、当該絶縁距離を確実に確保可能としている。
【００２５】
また、隔壁１０は、負荷側端子部４の腕部６に隣接した連結部７の端部に形成した端子孔９に端子ねじ８をネジ止めする際の負荷を受け止めて、端子板１７の変形を防止する機能も有している。
【００２６】
なお、図４、図５のように隔壁１０を壁面１８間の全てを覆うような構造にした場合、電線は隔壁１０方向となる下方向に引き出すことはできない。下方向に引き出す場合には電線に負荷が掛かってしまう恐れがある。そのため、他の実施形態として、図８〜図１０に示す他の実施形態のように、隔壁１０の一部に電線の配線を可能とする切欠き部１９を設けることにより、負荷側端子部４の上下両方向からの配線を可能とすることもできる。
【００２７】
図４〜図６の構造において、電源側端子部３と負荷側端子部４の双方で、腕部６に形成された端子孔９を使用する場合、電線の引き出し方向によっては、端子台１を回動させて使用することも可能である。そこで、本実施形態では、図６に示すように、電源側端子部３を、外観が上下左右対称となるように形成し、端子台１を回動させて使用する場合であっても、外観を変えることなく使用可能としている。なお、負荷名称板１５を挿入可能な名称板取付け部１６を電源側端子部３の端子孔９の上下方向に形成しているので、回動に合わせて負荷名称板１５の位置を変更可能に形成している。
【００２８】
本実施形態の端子台１は、図７に示すように、1極1極分割可能にしており、極数を自由に変更・増設が可能な構造となっている。また、端子板１７は、左右の壁面１８により落下しないように保持されており、ねじ止め等は成されていない。本実施形態において、各極は、負荷側端子部４に貫通して形成した固定部１１でねじ止めにより結合され、固定部１１は、筐体内部に配置されている。他の実施形態として、固定部１１を電源側端子部３に形成することもできる。固定部１１を負荷側端子部４に形成した場合においては、端子台１のうち、筐体２の外側に突出する部位を少なくでき、景観にも優れた製品とすることができる。何れの場合も、固定部１１は、電気機器収納用箱を構成する筐体２の端子台１に挿入するための開口部端部に隣接して配置されているため、筐体２に取り付けられた状態において、工具を使用しての分解は困難な構造となっている。
【００２９】
なお、電気機器収納用箱を構成する筐体２の外部に突出した電源側端子部３において、端子ねじ８の頭部、端子板１７が露出していると危険なため、本実施形態では、図２や図３に示すように、該端子ねじ８の頭部を覆う位置にコ字状の透明カバー１２を取り付けている。透明カバー１２は、取付部５の内側面先端部に形成された凹部１３で係止されている。透明カバー１２の形状は、図２や図３に示すものに限定されず、例えば、図９に示すように、Ｌ字状の透明カバー１２として、電源側端子部３の前方だけでなく上方からも充電部を保護できる構造とすることもできる。本実施形態では、図２、図９に示すようにＬ字状の透明カバー１２をネジ止めするナット挿入部１４を、取付部５の上下左右対称位置に形成し、透明カバー１２の係止方向を自由に変更できる構造としている。
【００３０】
また、図５に示すように、名称板取付け部１６の開口端部にフック部１６ａ，１６ｂを形成しており、透明カバー１２より上下方向に短くしたカバーを形成した場合、電源側端子部３の上方の凹部１３ａとフック部１６ｂでカバーを係止したり、電源側端子部３の下方の凹部１３ｂとフック部１６ａでカバーを係止可能としておき、透明カバー選択可能に取り付けすることができる。
【符号の説明】
【００３１】
１  端子台
２  筐体
２ａ  端子台取付面
３  電源側端子部
４  負荷側端子部
５  取付部
６  腕部
７  連結部
８  端子ねじ
９  端子孔
１０  隔壁
１１  固定部
１２  透明カバー
１３  凹部
１４  ナット挿入部
１５  負荷名称板
１６  名称板取付け部
１７  端子板
１８  壁面
１９  切欠き部
１００  薄型の筐体
１００ａ  天井板
１００ｂ  底板
１００ｃ  端子台取付面
２００  端子台
３００  端子台
４００  端子板
５００  端子板
６００  透明カバー
７００  端子ねじ
７００ａ  筐体内の端子ねじ
８００  筐体
８００ｃ  端子台取付面
９００  工具
１０００  電線
【図１】
0005909742.tif 000002
【図２】
0005909742.tif 000003
【図３】
0005909742.tif 000004
【図４】
0005909742.tif 000005
【図５】
0005909742.tif 000006
【図６】
0005909742.tif 000007
【図７】
0005909742.tif 000008
【図８】
0005909742.tif 000009
【図９】
0005909742.tif 000010
【図１０】
0005909742.tif 000011
【図１１】
0005909742.tif 000012
【図１２】
0005909742.tif 000013